(57)【要約】      （修正有）【課題】先端ノズル部材における先端位置を、カメラ目線による視認としてきわめて容易になし得、細い奥深い穴の視認に簡易に対応し得る内視鏡装置を提供する。【解決手段】筒状の本体ハウジング２内に装備された小型のカメラ手段３と、本体ハウジング２の先端部に対してこの先端部から一部が突出した状態で本体ハウジング２と同一軸芯上に組込まれかつ少なくとも棒状レンズ５ｂを有するカメラ手段５のレンズ手段と、本体ハウジング２の先端部に対してレンズ手段５の棒状レンズ５ｂの外周を覆蓋するように装設されかつ先端を先細となした光を透過する合成樹脂から形成された先端ノズル部材６と、カメラ手段３と先端ノズル部材６との間に配置された先端ノズル部材６及びレンズ手段５の先端側に指向した光を照射する光源手段７とを備え、本体ハウジング２に対し、先端ノズル部材６を、レンズ手段５における棒状レンズ５ｂと同一軸心を中心とする回動可能にする。【選択図】図１
2008119434.tif 000002
【特許請求の範囲】
【請求項１】
筒状の本体ハウジング内に装備された小型のカメラ手段と、
該本体ハウジングの先端部に対してこの先端部から一部が突出した状態で該本体ハウジングと同一軸芯上に組込まれかつ少なくとも棒状レンズを有する前記カメラ手段のレンズ手段と、
前記本体ハウジングの先端部に対して前記レンズ手段の棒状レンズの外周を覆蓋するように装設されかつ先端を先細となした光を透過する合成樹脂から形成された先端ノズル部材と、
前記カメラ手段と先端ノズル部材との間に配置された該先端ノズル部材及びレンズ手段の先端側に指向した光を照射する光源手段と、
を備えた内視鏡装置であって、
前記本体ハウジングに対し、前記先端ノズル部材を、前記レンズ手段における棒状レンズと同一軸心を中心とする回動可能に装設したことを特徴とする内視鏡装置。
【請求項２】
請求項１記載の内視鏡装置であって、前記カメラ手段と該カメラ手段のレンズ手段とを同軸芯上に配置したことを特徴とする内視鏡装置。
【請求項３】
請求項１または２記載の内視鏡装置であって、前記光源手段を白色の発光ダイオードから構成し、この発光ダイオードを前記レンズ手段における棒状レンズ回りに複数個配設したことを特徴とする内視鏡装置。
【請求項４】
請求項１記載の内視鏡装置であって、前記先端ノズル部材は、先端が耳垢除去部を構成する掻き取り部となしたことを特徴とする内視鏡装置。
【請求項５】
請求項１記載の内視鏡装置であって、前記先端ノズル部材は、先端が小径の円筒部となしたことを特徴とする内視鏡装置。
【発明の詳細な説明】
【技術分野】
【０００１】  本発明は、例えば、耳道内等の細い穴の奥を視認することができる医療用機器として使用される内視鏡に関する。
【背景技術】
【０００２】    従来、この種の内視鏡にあっては、例えば、耳掻き本体とファイバースコープを設けた保持部、或いはＣＣＤカメラを設けて耳掻き本体をなす保持部を、該ファイバースコープを中心軸として回動自在に設け、この耳掻き本体に光源からの光を導くように構成した耳道内視掃除装置が案出されている。（特許文献１参照）
【特許文献１】  特願２００１−２０４６４７号
【発明の開示】
【発明が解決しようとする課題】
【０００３】  しかしながら、上記した従来の装置においては、保持部をファイバースコープを中心軸として回動自在に設けてはいるものの、ファイバースコープまたはＣＣＤカメラが設けられた軸芯と、耳掻き本体の掻き取り部または光源から光を導いている部位とがもともと変位されている構造であるため、該保持部を回動した場合、その変位された状態のまま向き（位置）のみが変更されるもので、実際に掻き取り部位の満足する視認が十分ではない問題点を有していた。
そこで、本発明は、上記した従来の問題点に鑑み、先端ノズル部材の先端位置がカメラ手段におけるレンズ手段回りから変位するという「ずれ現象」をなくし、カメラ目線としてその先端位置の視認（確認）をきわめて容易になし得、細い奥深い穴の視認（確認）に簡易に対応することができる内視鏡装置を提供することを課題とするものである。
【課題を解決するための手段】
【０００４】  上記した課題は、以下の各請求項に記載された発明によって解決される。
すなわち、請求項１記載の発明は、筒状の本体ハウジング内に装備された小型のカメラ手段と、
該本体ハウジングの先端部に対してこの先端部から一部が突出した状態で該本体ハウジングと同一軸芯上に組込まれかつ少なくとも棒状レンズを有する前記カメラ手段のレンズ手段と、
前記本体ハウジングの先端部に対して前記レンズ手段の棒状レンズの外周を覆蓋するように装設されかつ先端を先細となした光を透過する合成樹脂から形成された先端ノズル部材と、
前記カメラ手段と先端ノズル部材との間に配置された該先端ノズル部材及びレンズ手段の先端側に指向した光を照射する光源手段と、
を備えた内視鏡装置であって、
前記本体ハウジングに対し、前記先端ノズル部材を、前記レンズ手段における棒状レンズと同一軸心を中心とする回動可能に装設したことを特徴とする。
この構成によれば、先端ノズル部材のレンズ手段における棒状レンズと同一軸芯を中心とする回動可能とすることによって、該先端ノズル部材の先端部を常にレンズ手段（棒状レンズ）回りに同一中心として位置させることができ、該先端ノズル部材の先端位置がカメラ手段におけるレンズ手段回りから変位するという「ずれ現象」をなくし、カメラ目線としてその先端位置の視認（確認）をきわめて容易になし得、細い奥深い穴の視認（確認）に簡易に対応し得るものである。【０００５】  請求項２記載の発明は、請求項１記載の内視鏡装置であって、前記カメラ手段と該カメラ手段のレンズ手段とを同軸上に配置したことを特徴とする。
この構成によれば、上記した請求項１の記載に加え、カメラ手段と該カメラ手段のレンズ手段とを同軸上に配置カメラ手段と該カメラ手段のレンズ手段とを同軸芯上に配置することにより、該カメラ手段の焦点距離調整手段の構成及び組み付けを簡易になし得るものである。【０００６】  請求項３記載の発明は、請求項１または２記載の内視鏡装置であって、前記光源手段を白色の発光ダイオードから構成し、この発光ダイオードを前記レンズ手段における棒状レンズ回りに複数個配設したことを特徴とする。
この構成によれば、上記した請求項１または２の記載に加え、発光ダイオードをレンズ手段における棒状レンズ回りに複数個配設することによって、光源手段として照度を十分に得る（確保する）ことができ、カメラ目線としての視認（確認）をより良好になし得、とくに細い奥深い穴の視認（確認）を一層良化し得るものである。【０００７】  請求項４記載の発明は、請求項１記載の内視鏡装置であって、前記先端ノズル部材は、先端が耳垢除去部を構成する部となしたことを特徴とする。
この構成によれば、耳道内視掃除用の医療用機器としてきわめてその利便性を発揮するものである。【０００８】  請求項５記載の発明は、請求項１記載の内視鏡装置であって、前記先端ノズル部材は、先端が小径の円筒部となしたことを特徴とする。
この構成によれば、細くて奥深い穴の視認に簡易に対応することができるものである。
【発明の効果】
【０００９】
【００１０】  請求項１記載の発明によれば、先端ノズル部材の先端部を常にレンズ手段（棒状レンズ）回りに同一中心に位置させることができ、該先端ノズル部材の先端位置がカメラ手段におけるレンズ手段回りから変位するという「ずれ現象」をなくし、カメラ目線としてその先端位置の視認（確認）をきわめて容易にでき、細い奥深い穴の視認（確認）に簡易に対応できる。【００１１】  請求項２記載の発明によれば、上記した請求項１の効果に加え、カメラ手段における焦点距離調整手段の構成を簡単にし得るとともに、その組み付けを簡易になし得る。【００１２】  請求項３記載の発明によれば、上記した請求項１または２の効果に加え、光源手段として照度を十分に得る（確保する）ことができ、カメラ目線としての視認（確認）をより良好になし得、とくに細い奥深い穴の視認（確認）を一層良化し得る。【００１３】  請求項４記載の発明によれば、耳道内視掃除用の医療用機器としてきわめてその利便性を十分に発揮することができる。【００１４】  請求項５記載の発明によれば、細くて奥深い穴の視認（確認）に簡易に対応することができる。
【発明を実施するための最良の形態】  次に、本発明を実施するための最良の形態について、実施例にしたがって説明する。
【実施例】
【００１５】  以下、本発明の実施例を図面にしたがって説明する。【００１６】  本実施例の内視鏡装置１の本体ハウジング２はほぼ円筒状に形成され、その内部の中心軸線（芯）Ｘ上には、超小型のＣＣＤカメラ等からなるカメラ手段３が所定のブラケット４を介して装備されていて、そのカメラ手段３におけるレンズ手段５が所望の支持部材（図示しない）によりその一部が該本体ハウジング２の先端部から突出した状態で組み付けられている。なお、カメラ手段３はアナログカメラ又はデジタルカメラのいずれの形式であってもよく、電子シャッター（図示しない）等により操作されるように構成されている。【００１７】  このレンズ手段５は、断面楕円の第１のレンズ５ａと、該第１のレンズ５ａの前方に位置された第２の棒状レンズ５ｂと、該第２の棒状レンズ５ｂの前方に位置された第３の広角レンズ５ｃとから構成されていて、前記カメラ手段３と同一軸線（芯）Ｘ上にそれぞれ配設されている。【００１８】  前記本体ハウジング２の先端部に位置される先端ノズル部材６は、光を透過する透明の合成樹脂、例えば、ポリカボネードからなり、縦断面ほぼろ斗状に形成され、その後部側の大径部６ａが前記本体ハウジング２の先端部に対して回動可能にかつ交換可能に嵌合され、前部の小径筒部６ｂが前記第３の広角レンズ５ｃ及び第２の棒状レンズ５ｂの外周を保持（覆蓋）するように位置されている。なお、前記第３の広角レンズ５ｃは、先端ノズル部材６の小径筒部から若干露出するように位置されるものである。
したがって、前記先端ノスル部材６は前記本体ハウジング２に対して前記レンズ手段５における第２の棒状レンズ５ｂと同一軸芯Ｘを中心として時計方向及び反時計方向に回動されるものである。【００１９】  そして、前記カメラ手段３と先端ノズル部材６との間には光源手段７が配設されており、この光源手段７は、白色の発光ダイオード７ａ、７ａ等からなり、この発光ダイオードを前記レンズ手段５における棒状レンズ５ｂを中心としてその回りに沿いかつ先端ノズル部材６及びレンズ手段５の先端側に指向した光を照射ように複数個（本実施例では２個の場合を示す。）所望の定置手段を介して配設されている。なお、発光ダイオード７ａ、７ａ等は白色の他、青色、赤色の三色の発光ダイオード７ａ、７ａ等が用いられるものである。【００２０】  また、前記カメラ手段３と先端ノズル部材６との間には、光源手段７である発光ダイオード７ａ、７ａ等の後側には、発熱体８が配置され、この発熱体８は、前記発光ダイオード７ａ、７ａ等の電気回路に組み込まれた抵抗素子（図示しない）により発熱作用が付与されて前記レンズ手段５の「くもり」等を未然に防止するものである。【００２１】  前記本体ハウジング２の後端部には、該本体ハウジング２の後部ハウジング２ａがその前部側の開口部を嵌合固定されており、この後部ハウジング２ａ内には、前記カメラ手段３の制御用のカメラボード９が電気的に接続され、前記カメラ手段３の後面側には該カメラボード９の中心を貫通、すなわち、前記中心軸芯Ｘ上に位置して後端が前記後部ハウジング２ａから突出されたカメラ手段３の焦点距離調整用の操作ロッド１０が装設されている。【００２２】  また、前記後部ハウジング２ａには調光ボリュウーム１１が前記カメラボード９に電気的に接続され、その調整ノブ１２が後部ハウジング２ａから露出して設けられ、さらに光源手段７である発光ダイオード７ａ、７ａ等にフルカラー調整ボタン１３が前記カメラボード９に電気的に接続されている。【００２３】  そして、本実施例の内視鏡装置１は、ビデオデッキ１４を介してモニター１５及びパソコン１６等に出力されるように構成さるものである。【００２４】  本実施例の本実施例の内視鏡装置１は、上述のように構成したものであり、その光源手段７である白色又は白色、青色、赤色の三色の発光ダイオード７ａ、７ａ等の光は、先端ノズル部材６及びレンズ手段５の先端側に指向した状態で照射され、同部位を十分な照度を確保して明るく照らす。
この状態において、該レンズ手段５ｃにより広角された視野でカメラ手段３による映像モニター１５又はパソコン１６で視認（確認）することができ、それらのデーターはパソコン１６に保存することもできる。【００２５】  そして、この実施例にあっては、先端ノズル部材６をレンズ手段５における棒状レンズ５ｂと同一軸芯Ｘを中心とした回動可能とすることによって、該先端ノズル部材６の先端部を常にレンズ手段５（棒状レンズ５ｂ）と同一中心とする回りに位置させることができ、該先端ノズル部材６の先端位置がカメラ手段３におけるレンズ手段５回りから変位するという「ずれ現象」をなくし、カメラ目線としてその先端位置の視認（確認）をきわめて容易になし得る。このことは、細い奥深い穴の視認（確認）に簡易に対応し得るものである。【００２６】  そして、先端ノズル部材６を図３（ａ）に示す細長い半円断面の小径筒部６ｃを備えた先端ノズル部材６に交換して使用する場合には、細い奥深い穴の視認（確認）に簡易に対応し得るものである。また、図３（ｂ）に示す耳掻き片６ｄを突設した先端ノズル部材６に交換して使用する場合には、耳道内等の細い穴の奥を視認することができる医療用機器として簡単に対応することができる。この場合、両先端ノズル部材６にあっては、前記したように、先端ノズル部材６の先端位置がカメラ手段３におけるレンズ手段５回りから変位するという「ずれ現象」をなくするものであるので、上記した作用効果を享受するものである。なお、耳掻き片６ｄを突設した先端ノズル部材６において、該耳掻き片６ｄは先端ノズル部材６の中心軸線（芯）Ｘ上に位置するように設定することが好ましい。【００２７】  さらに、前記カメラ手段３と該カメラ手段３のレンズ手段５とを同軸芯上に配置したことにより、該カメラ手段３の焦点距離調整手段としての操作ロッド１０等の構成を簡易にするとともに、その組み付けを簡易にし得るものである。【００２８】  そして、発光ダイオード７ａ、７ａをレンズ手段５における棒状レンズ５ｂ回りに複数個配設することによって、光源手段７として照度十分に得ることができ、カメラ目線としての視認（確認）をより良好になし得、とくに細い奥深い穴の視認（確認）を一層良化し得るものである。【００２９】  なお、本実施例における各部の構成は、図示の実施例に限定するものではなく、本発明の要旨を逸脱しない範囲において変更可能である。
【図面の簡単な説明】
【００３０】
【図１】  本実施例の内視鏡装置を示す説明断面図である。
【図２】  図１の拡大Ａ−Ａ線拡大断面図である。
【図３】  （ａ）（ｂ）は先端ノズル部材６の別例を示す斜視図である。
【符号の説明】
【００３１】１  内視鏡装置
２  本体ハウジング
３  カメラ手段
５  レンズ手段
６  先端ノズル部材
７  光源手段
７ａ  発光ダイオード
Ｘ  中心軸芯
【図１】
2008119434.tif 000003
【図２】
2008119434.tif 000004
【図３】
2008119434.tif 000005